(57)【要約】      （修正有）【課題】複数の情報機器ユニットを個別に収納して、夫々の情報機器ユニットの使い勝手を向上させる。【解決手段】カメラユニット１０、音声レコーダユニット１１、音楽再生ユニット１２等の各種情報機器ユニットと、これら情報機器ユニットとの間でデータの送受信を行う装置本体２とを備え、この装置本体２は、カメラユニット１０、音声レコーダユニット１１、音楽再生ユニット１２等を個別に収納可能な収納部３と、これら収納された各ユニットのうち、収納部３から取り出されているユニットの種類に応じた制御モードを設定可能なモード設定部とを有している。【選択図】図１
2006259934.tif 000002
【特許請求の範囲】
【請求項１】
種類の異なる２以上の情報機器ユニットと、該情報機器ユニットとの間でデータの送受信を行う装置本体と、を備え、
前記装置本体は、少なくとも２種類の前記情報機器ユニットを個別に収納可能な収納部と、
前記少なくとも２種類の情報機器ユニットのうち、前記収納部から取り出されている情報機器ユニットの種類に応じた制御モードを設定可能なモード設定部と、を有している、
ことを特徴とする携帯型の情報処理装置。
【請求項２】
前記装置本体は、
前記少なくとも２種類の情報機器ユニットで取り扱われるデータを記憶する記憶部と、
前記少なくとも２種類の情報機器ユニットから送信されたデータを、前記設定されたモードに係る種類のデータとして前記記憶部に記憶させるデータ制御部と、を有する、
ことを特徴とする請求項１に記載の携帯型の情報処理装置。
【請求項３】
前記モード設定部は、前記少なくとも２種類の情報機器ユニットのうち、前記収納部から取り出されている情報機器ユニットが複数種類ある場合は、当該複数のモードに設定する、
ことを特徴とする請求項２に記載の携帯型の情報処理装置。
【請求項４】
前記少なくとも２種類の情報機器ユニットは、カメラユニット、音声レコーダユニット、音楽再生ユニットのうちの少なくとも２つを含んでいる、
ことを特徴とする請求項１乃至３のいずれかに記載の携帯型の情報処理装置。
【請求項５】
前記装置本体は、前記カメラユニットで撮影された画像を表示する画像表示部を備えている、
ことを特徴とする請求項４に記載の携帯型の情報処理装置。
【請求項６】
前記装置本体は、前記少なくとも２種類の情報機器ユニットのうち、前記収納部から取り出されている情報機器ユニットと無線通信にてデータの送受信を行う、
ことを特徴とする請求項１乃至５のいずれかに記載の携帯型の情報処理装置。
【請求項７】
前記情報機器ユニットは、データを記憶する記憶部と、該記憶部に記憶されたデータを外部機器に転送するコネクタと、を有するデータ転送用の情報機器ユニットを含んでいる、
ことを特徴とする請求項１に記載の携帯型の情報処理装置。
【請求項８】
前記装置本体は吊り下げ部を有し、該吊り下げ部を介して前記装置本体をネックストラップにぶら下げて携帯可能とした、
ことを特徴とする請求項１乃至７のいずれかに記載の携帯型の情報処理装置。
【請求項９】
前記情報機器ユニットはフック部を有し、前記フック部を介して前記情報機器ユニットをネックストラップにぶら下げて携帯可能とした、
ことを特徴とする請求項１乃至７のいずれかに記載の携帯型の情報処理装置。
【発明の詳細な説明】
【技術分野】
【０００１】
本発明は携帯型の情報処理装置、詳しくは複数の情報機器ユニットを選択的に利用できる携帯型の情報処理装置に関する。
【背景技術】
【０００２】
情報機器ユニットとしては、例えばデジタルカメラ、音声レコーダ、音声再生プレーヤ等があり、これらを複合化した装置も製品化されているが、単に複合化させると機器サイズの大型化を招いたり、かえって各種情報機器ユニットの夫々の個別機能の使い勝手が悪くなるおそれもある。そこで、複数の情報機器ユニットを用意し、これら各種情報機器ユニット間を接続する通信用のケーブルを廃止して、携帯性や使い勝手を向上させた情報処理装置が提案されている（特許文献１参照）。
【０００３】
この情報処理装置は、カード型記録媒体に、カメラ本体及び録音再生用アタッチメント、モニタ用アタッチメント、インターフェース用アタッチメント等を着脱自在となるように設けて、電子スチルカメラを小型軽量化させ、音声録音再生機能やモニタ機能を発揮できるようにしたものである。すなわち、特許文献１では、カード型記録媒体に、その場面に応じて必要なカメラアタッチメント等を着脱交換できるようにしている。
【特許文献１】特開平９−１３９８７７号公報（第７頁、図１）
【発明の開示】
【発明が解決しようとする課題】
【０００４】
しかし、前述した従来技術によると、カード型記録媒体に電子スチルカメラを装着してカメラとして使用している場合には、それ以外の、例えばモニタ用アタッチメント、録音再生用アタッチメント等、その場所で同時に使用していない他のアタッチメントがばらばらになってしまうことになる。例えば、従来の情報処理装置を屋外で使用する場合、アタッチメントをまとめて携帯したい場合には極めて不便である。
【０００５】
また、カメラで撮影をしている状態から、続いて音声記録を行おうとすると、カード型記録媒体に装着されたアタッチメントをカメラアタッチメントから録音再生用アタッチメントへ交換しなければならず、このため、交換作業に手間がかかるという課題もあった。
【０００６】
本発明は、斯かる課題を解決するためになされたもので、その目的とするところは、複
数の情報機器ユニットを個別に収納して夫々の情報機器ユニットの使い勝手を向上させた
携帯型の情報処理装置を提供することにある。
【課題を解決するための手段】
【０００７】
前記目的を達成するため、請求項１に係る発明は、種類の異なる２以上の情報機器ユニットと、該情報機器ユニットとの間でデータの送受信を行う装置本体と、を備え、
前記装置本体は、少なくとも２種類の前記情報機器ユニットを個別に収納可能な収納部と、
前記少なくとも２種類の情報機器ユニットのうち、前記収納部から取り出されている情報機器ユニットの種類に応じた制御モードを設定可能なモード設定部と、を有していることを特徴とする。
【０００８】
請求項２に係る発明は、請求項１に記載の携帯型の情報処理装置において、
前記装置本体は、
前記少なくとも２種類の情報機器ユニットで取り扱われるデータを記憶する記憶部と、
前記少なくとも２種類の情報機器ユニットから送信されたデータを、前記設定されたモードに係る種類のデータとして前記記憶部に記憶させるデータ制御部と、を有することを特徴とする。
【０００９】
請求項３に係る発明は、請求項２に記載の携帯型の情報処理装置において、
前記モード設定部は、前記少なくとも２種類の情報機器ユニットのうち、前記収納部から取り出されている情報機器ユニットが複数種類ある場合は、当該複数のモードに設定することを特徴とする。
【００１０】
請求項４に係る発明は、請求項１乃至３のいずれかに記載の携帯型の情報処理装置において、
前記少なくとも２種類の情報機器ユニットは、カメラユニット、音声レコーダユニット、音楽再生ユニットのうちの少なくとも２つを含んでいることを特徴とする。
【００１１】
請求項５に係る発明は、請求項４に記載の携帯型の情報処理装置において、
前記装置本体は、前記カメラユニットで撮影された画像を表示する画像表示部を備えている、ことを特徴とする。
【００１２】
請求項６に係る発明は、請求項１乃至５のいずれかに記載の携帯型の情報処理装置において、
前記装置本体は、前記少なくとも２種類の情報機器ユニットのうち、前記収納部から取り出されている情報機器ユニットと無線通信にてデータの送受信を行う、ことを特徴とする。
【００１３】
請求項７に係る発明は、請求項１に記載の携帯型の情報処理装置において、
前記情報機器ユニットは、データを記憶する記憶部と、該記憶部に記憶されたデータを外部機器に転送するコネクタと、を有するデータ転送用の情報機器ユニットを含んでいることを特徴とする。
【００１４】
請求項８に係る発明は、請求項１乃至７のいずれかに記載の携帯型の情報処理装置において、
前記装置本体は吊り下げ部を有し、該吊り下げ部を介して前記装置本体をネックストラップにぶら下げて携帯可能とした、ことを特徴とする。
【００１５】
請求項９に係る発明は、請求項１乃至７のいずれかに記載の携帯型の情報処理装置において、
前記情報機器ユニットはフック部を有し、前記フック部を介して前記情報機器ユニットをネックストラップにぶら下げて携帯可能とした、ことを特徴とする。
【発明の効果】
【００１６】
本発明によれば、各種情報機器ユニットとの間でデータの送受信を行う装置本体を備
え、該装置本体は、少なくとも２種類の情報機器ユニットを収納している収納部から取り出された情報機器ユニットに応じた制御モードを設定可能なモード設定部を備えたことにより、各種情報機器ユニットの使い勝手の向上を図ることができる。
【発明を実施するための最良の形態】
【００１７】
以下、図面に基づき本発明の実施の形態を説明する。
図１（ａ）（ｂ）は、本発明に係る携帯型の情報処理装置の正面図及び平面図である。この携帯型の情報処理装置１は、音声レコーダ１１等の各種情報機器ユニットとの間でデータの送受信を行う装置本体２を備え、該装置本体２は、後述する少なくとも２種類の情報機器ユニットを個別に収納可能な収納部３と、前記少なくとも２種類の情報機器ユニットのうち、収納部３から取り出されている情報機器ユニットの種類に応じた制御モードを設定可能なモード設定部（図６参照）とを有している。本実施の形態では、前記少なくとも２種類の情報機器ユニットとしては、例えばカメラユニット１０、音声レコーダユニット１１、音楽再生ユニット（ＭＰＵ）１２、ＵＳＢ（Ｕｎｉｖｅｒｓａｌ  Ｓｅｒｉａｌ  Ｂｕｓ）送信ユニット１３等を想定している。
【００１８】
なお、ここでの「２種類の情報機器ユニット」としては、互いに用途の異なるカメラユニット１０や音声レコーダユニット１１等に限らず、例えばカメラユニット１０について言えば、用途は同じでも、接写用、望遠用、魚眼用等の焦点距離の異なるレンズを備えた各ユニットも、種類の異なるユニットとして扱うものとする。
【００１９】
前記収納部３は、各種情報機器ユニット１０，１１等を収納可能な収納ポケット１４〜１７を有し、これらが装置本体２の上部に形成されている。この装置本体２の正面中央には、ＬＣＤ等からなる画像表示部１８が設けられ、また、正面左側には各種操作釦を有する操作部１９が設けられている。更に、装置本体２の右側下部には吊り下げ部２０が設けられている。なお、これらの機能、用途の詳細については後述する。
【００２０】
図２（ａ）乃至（ｃ）は、カメラユニット１０の外観図、図３は音声レコーダユニット１１の正面図、図４は音楽再生ユニット１２の正面図、図５はＵＳＢ送信ユニット１３の正面図である。
【００２１】
図２（ａ）乃至（ｃ）において、カメラユニット１０は、ユニット本体２４が正面視縦長の略長円形状をなしていて、正面下部にレンズ窓２５を有し、上部には段部を有する係合部２６が形成され、更に、該係合部２６の上部には、上方に突出するようにリング状のフック２７が設けられている。前記係合部２６は、装置本体２の収納部３に複数の情報機器ユニット（１０，１１，１２等）が収納されている場合に、装置本体２が複数の情報機器ユニットの中から、現在どのユニットが抜き取られているか、或いはどのユニットが収納されているか等を電気的に識別するために用いたり、装置本体２から収納部３に収納された状態でのユニットへの給電を可能とする給電端子として用いられる。この場合、ユニット識別用及び給電用の端子としては、例えば前述した係合部２６に形成された段部における、内側に形成された面が利用される。
【００２２】
また、前記フック２７は、装置本体２に収納されたカメラユニット１０を該装置本体２から引き抜くときの取手として用いたり、又はこのカメラユニット１０を、後述するネックストラップにぶら下げて携帯するとき等に用いられる。更に、このカメラユニット１０の側面部には、レリース釦２８が設けられ、裏面側には画像表示部２９が配設されている。この画像表示部２９は、撮影中の被写体像をモニター表示するためのものである。また、画像の再生は装置本体２で行われる。
【００２３】
なお、収納される情報機器ユニットの種類の判別方法は、例えば上述した実施形態のように、各情報機器ユニットの種類に応じて係合部２６の識別用の端子のパターンを異ならせ、収納状態で情報機器ユニット側の端子に接触する装置本体２の端子（コネクタ）の状態をＣＰＵ４４（図６参照）が検出して各情報機器ユニットの種類を判別したり、また、これ以外にも、例えばデータ通信用の通信部を使って、各情報機器ユニットから送信される種類に応じたコードを読み取って判別するようにしても良い。
【００２４】
図３は、音楽や会話の録音に使用される音声レコーダユニット１１の正面図であり、ユニット本体３０の輪郭は前述したカメラユニット１０と類似しているが（但し、レンズ窓２５や画像表示部２９等はない）、ユニット本体３０の正面下部にマイク用の開口部３１が設けられ、更に、側面部には各種操作釦３２が設けられている。図４は、音楽再生ユニット１２の正面図であり、これもユニット本体３４の輪郭はカメラユニット１０と類似しているが（但し、レンズ窓２５はない）、ユニット本体３４の正面中央に表示部３５を有し、その下部に操作釦３６が設けられている。前記表示部３５は、例えばＬＣＤから成り、選択された曲目や演奏時間等が画像表示される。更に、図５は、ＵＳＢ送信ユニット１３の正面図であり、このユニット本体４０は、正面下部がカメラユニット１０の輪郭と相違していて、ユニット本体４０の下部にＵＳＢ端子４１が設けられている。このＵＳＢ送信ユニット１３は、コンピュータにデータを移したい場合等に、ＵＳＢ端子４１を用いてコンピュータに接続し、一時的にそのデータを蓄積してから転送する機能を有する。
【００２５】
図６は、本実施の形態の装置本体２の制御ブロック図である。
同図において、装置本体２は、プログラムに従って装置本体２の全体のコントロールを行うＣＰＵ４４と、前述したように収納ポケット１４〜１７を有する収納部３を有する。また、ＣＰＵ４４はこの収納部３から取り出された各種情報機器ユニット１０〜１３の種類に応じた制御モードを設定するモード設定部を有している。収納ポケット１４〜１７内には、各前記係合部２６に接続されて各種情報機器ユニット１０〜１３とＣＰＵ４４等とを電気的に接続されて、ユニット充電やユニット差込み検出信号の送受等を行うためのコネクタ１４ａ〜１７ａ（但し、コネクタ１７ａはＵＳＢコネクタ）が配設されている。
【００２６】
また、装置本体２は、画像データを符号化処理等する画像処理部４５と、映像信号を表示する画像表示部１８と、不図示のマイクに収録されて電気信号に変換された音声をＡ／Ｄ変換等する音声処理部４６と、画像処理部４５や音声処理部４６で処理されたデータを記憶するハードディスク４７と、画像データや音声データを電波信号に変換する通信部４８とを備えている。また、モード設定部によって設定された制御モード及び入力されたデータの属性を検出してユニットから送信されたデータのモードを識別してハードディスク４７に記録させるデータ制御部をＣＰＵ４４に備えている。
【００２７】
また、装置本体２は、前記制御部４の他に、装置本体２を操作する操作部１９と電池４９を備え、更に音声処理部４６からの音声データを出力する音声出力部５０と、データを無線で送受信するアンテナ５１を備えている。
【００２８】
図７は、カメラユニット１０の制御ブロック図である。
このカメラユニット１０は、被写体の映像を結像させるレンズ５３と、該レンズ５３からの映像信号を光電変換して出力する撮像素子（ＣＣＤ）５４と、該撮像素子５４からの映像信号をゲイン制御（ＡＧＣ）してＡ／Ｄ変換しデジタル信号に変換する撮像回路部５５と、Ａ／Ｄ変換された画像データを符号化処理、ＪＰＥＧ圧縮処理する画像処理部５６、画像処理後の映像を画像表示する画像表示部５７、画像処理用のワークエリアや通信時のバッファ用の記憶装置としてのバッファメモリ５８、プログラムに従って全体をコントロールするＣＰＵ５９を備えている。また、装置本体２にＪＰＥＧ圧縮処理された画像データを電波で送信する通信部６０、この通信部６０に接続されデータを無線で送受信するアンテナ６４、撮影開始等を指示する操作部６１、ユニット内各部の駆動用の電池６２、装置本体２のコネクタ１４ａ等（図６参照）に接続されて装置本体２からの充電電力を電池６２に供給するための給電用の端子であってコネクタ６３等を備えている。このコネクタ６３及びユニット識別用端子は係合部２６に設けられている。
【００２９】
図８は、音声レコーダユニット１１の制御ブロック図である。
この音声レコーダユニット１１は、マイク６５で電気信号に変換された音声信号を、ゲイン制御（ＡＧＣ）、Ａ／Ｄ変換、符号化処理、圧縮処理等する音声処理部６６、録音開始や録音停止等をＣＰＵ６９に指示する操作部６７、音声処理用のワークエリアや通信時のバッファ用の記憶装置としてのバッファメモリ５８、プログラムに従って全体をコントロールする前記ＣＰＵ６９を備えている。また、音声レコーダユニット１１は、装置本体２にＪＰＥＧ圧縮処理された音声データを電波で送信する通信部７０、この通信部７０に接続されデータを無線で送受信するアンテナ７３、ユニット内各部の駆動用の電池７１、装置本体２からの充電電力を電池７１に供給するための給電用の端子であるコネクタ７２等を備えている。このコネクタ７２及びユニット識別用端子は係合部２６に設けられている。
【００３０】
図９は、音楽再生ユニット１２の制御ブロック図である。
この音楽再生ユニット１２は、装置本体２と通信して装置本体２からの音楽（音声）データを受信する通信部７５、この通信部７５に接続されてデータを無線で送受信するアンテナ８４、音声処理用のワークエリアや通信時のバッファ用、又は受信した音楽データを一時記憶する記憶装置としてのバッファメモリ７６、受信した音楽データを伸張して復号化し、Ｄ／Ａ変換する音声処理部７７、プログラムに従って全体をコントロールするＣＰＵ８１を備えている。また、イヤホーンに接続され音声信号が出力される出力端子７８、十字キー、選曲、早送り、巻き戻し等を指示する操作部７９、曲目や時間等を表示する表示部８０、ユニット内各部の駆動用の電池８２、装置本体２からの充電電力を電池８２に供給するための給電用の端子であるコネクタ８３等を備えている。このコネクタ８３及びユニット識別用端子が係合部２６に設けられている。
【００３１】
図１０は、ＵＳＢ送信ユニット１３の制御ブロック図である。
このＵＳＢ送信ユニット１３は、コンピュータ等へ転送するデータを記憶するフラッシュメモリ８５、記憶時には装置本体２と該装置本体２からの音楽データや画像データの送信に関する制御を行い、コンピュータやプリンタへの転送時には、コンピュータ等と音楽データや画像データの通信に関して制御するＩ／Ｆ８６、音楽データや画像データの通信及び電力の供給を受けるためのＵＳＢ接続用のＵＳＢコネクタ８７、プログラムに従って全体をコントロールするＣＰＵ８８を備えている。
【００３２】
図１１は、装置本体２のモード設定処理の制御フローチャートである。
このフローは、装置本体２の収納部３に収納された情報機器ユニット（１０，１１，１２等）のうち収納部３から抜き取られている情報機器ユニットを検知するものである。
【００３３】
Ｓ１では、先ずカメラユニット１０が有るか否かを判断し、有る場合（Ｙｅｓ）はＳ２に進み、無い場合（Ｎｏ）はＳ３に進む。このＳ３では、音声レコーダユニット１１が有るか否かを判断し、有る場合（Ｙｅｓ）はＳ４に進み、無い場合（Ｎｏ）はＳ５に進む。このＳ５では、更に音楽再生ユニット（ＭＰＵと略す）１２が有るか否かを判断し、無い場合（Ｎｏ）、すなわち全ての情報機器ユニット１０，１１，１２が抜き取られている場合はＳ６に進む。このＳ６では、全ての情報機器ユニット１０，１１，１２と通信可能とするため、装置本体２のＣＰＵ４４をカメラ／レコーダ／ＭＰ（音楽再生）モードに設定してリターンする。
【００３４】
また、Ｓ５において、音楽再生ユニット１２が有る場合（Ｙｅｓ）、すなわちカメラユニット１０と音声レコーダユニット１１が抜き取られている場合はＳ７に進む。このＳ７では、装置本体２をカメラユニット１０及び音声レコーダユニット１１と通信可能とするため、装置本体２のＣＰＵ４４をカメラ／レコーダに設定してリターンする。
【００３５】
更に、前述したＳ４では、音楽再生ユニット１２が有るか否かを判断し、無い場合（Ｎｏ）、すなわちカメラユニット１０と音楽再生ユニット１２が無い場合は、Ｓ８に進む。このＳ８では、装置本体２をカメラユニット１０及び音楽再生ユニット１２と通信可能とするため、装置本体２のＣＰＵ４４をカメラ／ＭＰモードに設定してリターンする。また、Ｓ４で、音楽再生ユニット１２が有る場合（Ｙｅｓ）、すなわちカメラユニット１０のみが抜き取られている場合は、Ｓ９に進む。このＳ９では、装置本体２をカメラユニット１０と通信可能とするため、装置本体２のＣＰＵ４４をカメラモードに設定してリターンする。
【００３６】
次に、前述したＳ２では、音声レコーダユニット１１が有るか否かを判断し、有る場合（Ｙｅｓ）はＳ１０に進み、無い場合（Ｎｏ）はＳ１１に進む。このＳ１１では、音楽再生ユニット１２が有るか否かを判断し、無い場合（Ｎｏ）、すなわち音声レコーダユニット１１と音楽再生ユニット１２が無い場合は、Ｓ１２に進む。このＳ１２では、装置本体２を音声レコーダユニット１１及び音楽再生ユニット１２と通信可能とするため、装置本体２のＣＰＵ４４をレコーダ／ＭＰモードに設定してリターンする。また、Ｓ１１において、音楽再生ユニット１２が有る場合（Ｙｅｓ）、すなわち音声レコーダユニット１１のみが無い場合は、Ｓ１３で装置本体２のＣＰＵ４４をレコーダモードに設定してリターンする。
【００３７】
更に、前述したＳ１０では、音楽再生ユニット１２が有るか否かを判断し、無い場合（Ｎｏ）、すなわち音楽再生ユニット１２のみが無い場合は、Ｓ１４に進む。このＳ１４では、装置本体２を音楽再生ユニット１２と通信可能とするため、装置本体２のＣＰＵ４４をＭＰモードに設定してリターンする。また、Ｓ１０で、音楽再生ユニット１２が有る場合（Ｙｅｓ）、すなわち抜き取られた情報機器ユニットが１つもない場合はＳ１５に進む。このＳ１５では、装置本体２のＣＰＵ４４を再生モードに設定してリターンする。なお、再生モード時には、さらに操作釦で画像再生、音声再生を選択する。
【００３８】
本実施の形態によれば、装置本体２と情報機器ユニットとは、無線通信にてデータの送受信が行われるのでケーブルが不要であり、装置の小型化を図ることができる。また、本実施の形態によれば、収納部３から情報機器ユニットを抜き取るだけで、その抜き取られた情報機器ユニットに応じてモード設定が行われるので、モードの選択操作を省略することができる。また、カメラを使いながら音楽を聞くこともできるようになり、複数の機能の同時利用が容易にできるようになる。
【００３９】
図１２は、カメラユニット１０のＣＰＵ５９による処理の制御フローチャートである。
この処理では、Ｓ２０において、画像表示部２９にモニター表示を行い、Ｓ２１に進む。このＳ２１では、レリース釦２８が押されたか否かが判断され、Ｎｏならモニター表示を繰り返し、ＹｅｓならＳ２２で撮影を行い、次いでＳ２３で画像処理部５６及びバッファメモリ５８（図７参照）にて画像処理及び記憶を行い、更にＳ２４で通信部６０及びアンテナ６４を通じて装置本体２に無線で撮影された画像データを送信する。
【００４０】
図１３は、音声レコーダユニット１１のＣＰＵ６９による処理の制御フローチャートである。
この処理では、Ｓ３０において、開始指示があったか否かが判断され、Ｎｏなら最初に戻り、Ｙｅｓなら録音を開始させる（Ｓ３１）。音声処理部６６で音声データを順次音声処理を行い、かつバッファメモリ６８で記憶して（Ｓ３２）、Ｓ３３に進む。このＳ３３では、停止指示があったか否かが判断され、Ｙｅｓなら最初に戻り、ＮｏならＳ３４に進む。このＳ３４では、データ量がバッファメモリ６８の容量に対して一定以上か否かが判断され、未満（Ｎｏ）ならＳ３１に戻り、一定（Ｙｅｓ）に達したらＳ３５に進む。このＳ３５では、録音を継続しながらバッファメモリ６８にたまった音声データの一部を順次装置本体２に送信してバッファメモリ６８に空き容量を確保させてＳ３１に戻る。
【００４１】
図１４は、音楽再生ユニット１２のＣＰＵ８１による処理の制御フローチャートである。
この音楽再生（ＭＰ）処理では、Ｓ４０において、曲名指定（又は曲番号）があったか否かが判断され、Ｎｏなら最初に戻り、Ｙｅｓなら、Ｓ４１で装置本体２に曲名を送信する。すると、装置本体２側では曲名を受信し（Ｓ４２）、曲データを音声レコーダユニット１１側に送信する（Ｓ４３）。また、音声レコーダユニット１１側では、この曲データを受信して（Ｓ４４）、メモリに一時記憶しておき（Ｓ４５）、更に記憶された曲データの再生を行って（Ｓ４６）、Ｓ４７に進む。このＳ４７では、終了又は停止指示があったか否かが判断され、Ｎｏなら再生を続行してＳ４６に進み、Ｙｅｓなら最初に戻り再生を終了又は停止させて、次の曲名指定を待つ。
【００４２】
図１５は、音楽再生ユニット１２をネックストラップ９０に吊り下げた状態の使用例を示す図である。ネックストラップ９０は、イヤホーン９１を有し、下部にフック２７を介して音楽再生ユニット１２を吊り下げている。また、図１６は、装置本体２をネックストラップ９０に吊り下げた状態の使用例を示す図である。この実施形態では、音楽再生ユニット１２等の各種情報機器ユニットを吊り下げる代わりに、装置本体２を、吊り下げ部２０を介してネックストラップ９０に吊り下げている。
【００４３】
図１７は、携帯型の情報処理装置１の具体的な使用例を示している。
この場合は、例えばユーザーが右手で装置本体２をカバン９２に入れて携帯すると共に、首に掛けたネックストラップ９０に音楽再生ユニット１２を吊り下げ、更に左手にはカメラユニット１０を持っている。そして、装置本体２と音楽再生ユニット１２及びカメラユニット１０とは、夫々無線通信にてデータが送受信される。このため、例えば音楽再生ユニット１２については、たくさんの音楽データはカバン９２の中の装置本体２から無線で受信でき、また、カメラユニット１０については、ただひたすら撮影すれば、データは無線で送信されてカバン９２の中の装置本体２のハードディスク４７（図６参照）に保存される。
【００４４】
図１８は、装置本体２に情報機器ユニットを装着する時の状態を示す図である。具体的には、装置本体２のポケット１４に、抜き出したカメラユニット１０を矢印方向に挿入して収納する場合を示している。この場合も、挿入された時点でカメラユニット１０が収納部３に収納されたことが電気的に検知される。また、図１９は、装置本体２における再生時の使用例を示す図であり、ユーザは左手に装置本体２を持ち、かつ操作部１９を操作して音楽を再生したり、又は画像再生操作により画像表示部１８にて記録された映像を視認することができる。
【図面の簡単な説明】
【００４５】
【図１】（ａ）は、本発明に係る携帯型の情報処理装置の正面図であり、（ｂ）は、同上の平面図である。
【図２】（ａ）は、カメラユニットの正面図であり、（ｂ）は、その側面図であり、（ｃ）は、その背面図である。
【図３】音声レコーダユニットの正面図である。
【図４】音楽再生ユニットの正面図である。
【図５】ＵＳＢ送信ユニットの正面図である。
【図６】本実施の形態の機器本体の制御ブロック図である。
【図７】カメラユニットの制御ブロック図である。
【図８】音声レコーダユニットの制御ブロック図である。
【図９】音楽再生ユニットの制御ブロック図である。
【図１０】ＵＳＢ送信ユニットの制御ブロック図である。
【図１１】機器本体のモード設定処理の制御フローチャートである。
【図１２】カメラユニットのモード処理の制御フローチャートである。
【図１３】音声レコーダユニットのモード処理の制御フローチャートである。
【図１４】音楽再生ユニットのモード処理の制御フローチャートである。
【図１５】音楽再生ユニットをネックストラップに吊り下げた状態の使用例を示す図である。
【図１６】機器本体をネックストラップに吊り下げた状態の使用例を示す図である。
【図１７】携帯型の情報処理装置の具体的な使用例を示す図である。
【図１８】機器本体への情報機器ユニットの装着を示す図である。
【図１９】機器本体による再生時の使用例を示す図である。
【符号の説明】
【００４６】
１      携帯型の情報処理装置
２      機器本体
３      収納部
１０    カメラユニット
１１    音声レコーダユニット
１２    音楽再生ユニット
１３    ＵＳＢ送信ユニット
１４    収納ポケット
１４ａ  コネクタ
１５    収納ポケット
１５ａ  コネクタ
１６    収納ポケット
１６ａ  コネクタ
１７    収納ポケット
１７ａ  コネクタ
１８    画像表示部
１９    操作部
２０    吊り下げ部
２６    係合部
２７    フック
４４    ＣＰＵ
４５    画像処理部
４６    音声処理部
４７    ハードディスク
４８    通信部
５１    アンテナ
９０    ネックストラップ
【図１】
2006259934.tif 000003
【図２】
2006259934.tif 000004
【図３】
2006259934.tif 000005
【図４】
2006259934.tif 000006
【図５】
2006259934.tif 000007
【図６】
2006259934.tif 000008
【図７】
2006259934.tif 000009
【図８】
2006259934.tif 000010
【図９】
2006259934.tif 000011
【図１０】
2006259934.tif 000012
【図１１】
2006259934.tif 000013
【図１２】
2006259934.tif 000014
【図１３】
2006259934.tif 000015
【図１４】
2006259934.tif 000016
【図１５】
2006259934.tif 000017
【図１６】
2006259934.tif 000018
【図１７】
2006259934.tif 000019
【図１８】
2006259934.tif 000020
【図１９】
2006259934.tif 000021